Podtech/llm-jp-corpus-v4-ja_patent huggingface dataset:
(57)【要約】【課題】  自在に手元で開閉できる扇子の特徴を生かしながら構造をできるだけシンプルに製造を容易にする。表面に印刷される絵柄に折り目をつけることなく鮮明な形で絵を残す。【解決手段】  丸い形状の素材を数枚重ね合わせた１を基底部２において金具３で止めることで、大きく開いたり小さく閉じたりといった扇子の持つ機能を代替できた。また重ねて小さくまとめることで印刷される絵柄に折り目をつけることも避けられる。【選択図】  図１
0003102144.tif 000002
【実用新案登録請求の範囲】
【請求項１】
丸く型取った素材数枚を重ね合わせた１を基底部２において金具３で止め、それを手元で自在に開閉して使えるようにした扇子。
【考案の詳細な説明】
【考案の詳細な説明】
【考案が解決しようとする課題】
【０００１】  従来の扇子は伝統色が強く、人混みの中で気軽に取り出して使えるといった代物ではなかった。またその構造からも低コストで量産できる製品ではなく用途も限られていた。表面に施す絵柄についても、扇子は機能として開閉して扱うため絵柄に折り目が入ることは避けられず、それが絵柄の鮮明さを損なってもいた。
【課題を解決するための手段】
【０００２】  扇子の典型的なおうぎの形を、丸い形状のもの数枚を重ね合わせる形に置き換えた。それをもって大きく開いた状態や小さく閉じた状態の機能を可能とした。
【考案の効果】
【０００３】  構造がシンプルになったことで製造も容易になり低コストで提供していけるため、暑い季節の簡易な商品としての様々な用途の道が開けた。丸い型への印刷も鮮明に残せるため絵柄の表現も広がった。
【図面の簡単な説明】
【図１】扇子の正面図である。
【図２】扇子の閉じた状態の正面図である。
【図３】扇子の平面図である。
【図４】扇子の閉じた状態の平面図である。
【図５】扇子の底面図である。
【符号の説明】
１  丸型の羽根
２  基底部
３  止め金具
【図１】
0003102144.tif 000003
【図２】
0003102144.tif 000004
【図３】
0003102144.tif 000005
【図４】
0003102144.tif 000006
【図５】
0003102144.tif 000007
【手続補正書】
【提出日】平成16年1月17日(2004.1.17)
【手続補正１】
【補正対象書類名】実用新案登録請求の範囲
【補正対象項目名】全文
【補正方法】変更
【補正の内容】
【実用新案登録請求の範囲】
【請求項１】
厚紙を素材にして丸く型取りをした三枚を重ねそれを扇子の面の部分とし、同じ素材の三角形の基底部においてその丸型三枚の端部を金具で止め，左右に開閉して扱えるようにした簡易な扇子。
(57)【要約】      （修正有）【解決手段】傘骨型洗濯物干し器の幅を０．５ｍと小さくして、洗濯バサミを奥に取り付け、狭い場所に設置が可能であるようにした。【効果】干し器の幅を小さくしたことにより、従来の傘骨型洗濯物干し器同様、数多くの洗濯物が干せるだけで無く、移動が簡単である。そのために、設置場所の選択範囲が広がり、窓下や風呂場の入り口、狭い通路等に使用出来る。【選択図】図３
0003102148.tif 000002
【実用新案登録請求の範囲】
【請求項１】
傘骨型洗濯物干し器をミニサイズとする。そのため、開いた場合の直径を０．５ｍとする。閉じた場合の長さは０．３ｍとする。この場合、１本の骨の長さは０．２ｍとなる。取り付け部分の中心からは０．２５ｍである。これは、大人用Ｔシャツを２本の骨を用い、襟口から差し込んだ場合、丁度、肩の袖付け位までの幅となる。型崩れしない位置である。
【請求項２】
従来の傘骨型洗濯物干し器に付いて居る洗濯バサミは外側に付いているが、本考案の洗濯バサミは、内側、奥に付ける。これも型崩れをしないばかりで無く、洗濯物を差し込んだり外したりするのが片手で出来、たやすくなるためである。
【考案の詳細な説明】
【技術分野】
【０００１】  本考案は、家庭用日用品に関するものである。
【背景技術】
【０００２】  洗濯物干し器は数多く出回って居るが、狭い場所に沢山の洗濯物が干せて、安全で、見た目も形良く、取り扱いも簡単でコンパクトな品物は無い。
【考案の開示】
【考案が解決しようとする課題】
【０００３】  庶民の住宅は今だ狭く洗濯物を干すにもあちらこちらと僅かな空間を探して動き回って居るのが現状である。まして、曇天の場合や来客の場合は尚更である。三尺の廊下にしてもその内側は０．８ｍ足らずであるし、風呂場の入り口にしても同様に狭い。状況や天候の急変に際しても素早く移動が可能な小型の物干し器が無いのが問題点である。
【課題を解決しようとするための手段】
【０００４】  本考案は、干し器の幅を小さくして、洗濯バサミを奥に取り付け、狭い場所に設置が可能であるようにした。
【考案の効果】
【０００５】  干し器の幅を小さくしたことにより、従来の傘骨型洗濯物干し器同様、数多くの洗濯物が干せるだけで無く、移動が簡単である。そのために、設置場所の選択範囲が広がり、窓下や風呂場の入り口、狭い通路等に使用出来る。
【考案を実施するための最良の形態】
【０００６】  傘骨型洗濯物干し器を開いた場合の直径を０．５ｍとする。閉じた場合の長さは０．３ｍとする。洗濯バサミを奥の方に取り付ける。
【実施例１】
【０００７】  傘骨型洗濯物干し器を開いた場合の直径を０．５ｍとする場合、１本の骨部分は０．２ｍとなる。これは、大人用Ｔシャツを２本の骨を用い、襟口から差し込んだ場合、丁度、肩の袖付け位までの幅となる。型崩れしない位置である。【０００８】  従来の傘骨型洗濯物干し器に付いて居る洗濯バサミは外側に付いているが、本考案の洗濯バサミは、内側奥に付ける。これも型崩れをしないばかりで無く、差し込んだり外したりするのが片手で出来、たやすくなるためである。【０００９】  支点部分の吊し棒は傘骨型洗濯物干し器ミニを畳んだ骨の長さの範囲に収め０．２〜０．２５ｍとする。【００１０】  移動等に使う掴み棒は０．０７ｍとする。これは掴み良い最短である。【００１１】  骨の数は従来の傘骨型洗濯物干し器同様２０本とする。
【産業上の利用可能性】
【００１２】  従来の傘骨型洗濯物干し器は大きさから、主に家庭用として使われているが、本考案はミニタイプなので材質をステンレスの清潔感のある物にすれば業務用としても美しく家庭用としても重宝な品物である。ミニタイプなので２段重ねとしても効果的である。
【図面の簡単な説明】
【００１３】
【図１】干し器の横断面である。骨部分は１３〜１５度上へ反っている。
【図２】真上からのふかん図である。骨の数は２０本である。骨と骨の間隔は１８度である。
【図３】畳んだ横断面である。洗濯バサミ部分は内側となる。掴み棒に金輪を取り付け２段目を繋ぐことが出来る。
【図４】大人用シャツを襟部分から干した例である。内側の洗濯バサミが型くずれ無く止め易い。
【符号の説明】
【００１４】  １  傘骨型洗濯物干し器の骨である。長さ０．２ｍである。中心から０．２５ｍである。
２  付け洗濯バサミである。
３  掴み棒である。金輪を取り付け２段重ねに出来る。
４  吊し棒である。長さ０．２ｍである。
５  上から見た干し器の骨である。２０本ある。間隔は１８度である。
６  畳んだ時の傘骨型洗濯物干し器の骨である。
７  付け洗濯バサミである。
８  吊し棒である。
９  掴み棒である。
１０  金輪である。２段めが繋げる。
１１  大人用シャツを襟部分から干した例である。ミニだが十分に届く。
【図１】
0003102148.tif 000003
【図２】
0003102148.tif 000004
【図３】
0003102148.tif 000005
【図４】
0003102148.tif 000006
【手続補正書】
【提出日】平成15年12月25日(2003.12.25)
【手続補正１】
【補正対象書類名】実用新案登録請求の範囲
【補正対象項目名】全文
【補正方法】変更
【補正の内容】
【実用新案登録請求の範囲】
【請求項１】
傘骨型洗濯物干し器ミニにおいて、
（１）開いた場合の直径は０．５ｍ
（２）閉じた場合の長さは０．３ｍ
（３）１本の骨の長さは０．２ｍ
以上からなる傘骨型洗濯物干し器ミニ。
【請求項２】
取り付ける洗濯バサミは、内側、奥に接着されるところの傘骨型洗濯物干し器ミニ。
(57)【要約】      （修正有）【課題】マイクを衛生的に保護するフイルター。【解決手段】フイルター（１）を繊維製または紙製で作り、マイク（５）に被せ、唾とかばい菌をガードし衛生的にしようとするものである。【選択図】図5
0003102143.tif 000002
【実用新案登録請求の範囲】
【請求項１】
マイク用フイルター（１）の上下をテーパーにして筒状にする、上部を球面状にしたマイク用フイルター。
【請求項２】
マイク用フイルター（１）の材質を薄い繊維製または通気性の良い紙のマイク用フイルター。
【請求項３】
マイク用フイルター（１）は抗菌防止を施したマイク用フイルター。
【考案の詳細な説明】
【考案の詳細な説明】
【考案が解決しようとする課題】
【０００１】  本考案の目的は、毎日使われている所のスナツクにカラオケ屋、に色々な宴会場に講演会場とマイクは至る所で使用されている、マイクは歌とか唄う毎に口から唾が飛び、それに目に見えない埃とかがマイクの網目に溜まります、また人から人えとマイクを回す為に色んな菌を持った人が使うのでばい菌が付き繁殖しやすい、この様な不衛生な事を防止するため解決しようとするものである。
【０００２】  従来はマイクは裸のまま使用している物が多い、中にはマイクを口に付けて唄う人もいます、少し気にしている人はハンカチ等を被せて使用をしている方もいます、又スポンジ製のカバーが付いているのもありますが、殆んどは衛生的を考えて使用している人はいない、病気を感染させる源である。
【課題を解決するための手段】
【０００３】  本考案は上記目的を解決するために、マイク用フイルター（１）をマイク（５）に被せマイク用フイルター（１）の裾をゴムバンド（４）などで縛って使用する、マイク用フイルター（１）は唄う人が変わる度に交換するものである。
【０００４】  フイルターの材質は紙で通気性の良い物で薄手が良い、又繊維製でガーゼの様な物で、特に形状は球面形円筒には拘らない。
【考案の効果】
【０００５】  マイクを１回でも使用したら次の人は必ずマイク用フイルターを交換する事で衛生上問題なく効果がある。
【図面の簡単な説明】
【図１】マイク用フイルターの斜視図。
【図２】マイク用フイルターの側面図。
【図３】マイク用フイルターの下から見た平面図。
【図４】マイク用フイルターの上から平面図。
【図５】マイクにフイルターを被せた断面図。
【図６】マイクにフイルターを被せ、裾をゴムバンドで縛った側面図。
【符号の説明】
１、  マイク用フイルター
２、  球面形天上
３、  円筒形テーパーと球面形天上の境目
４、  裾を絞り込むゴムバンド
５、  マイク
【図１】
0003102143.tif 000003
【図２】
0003102143.tif 000004
【図３】
0003102143.tif 000005
【図４】
0003102143.tif 000006
【図５】
0003102143.tif 000007
【図６】
0003102143.tif 000008
【手続補正書】
【提出日】平成15年12月15日(2003.12.15)
【手続補正１】
【補正対象書類名】実用新案登録請求の範囲
【補正対象項目名】全文
【補正方法】変更
【補正の内容】
【実用新案登録請求の範囲】
【請求項１】
マイク用フイルター（１）の上下をテーパーにして筒状にする、上部を球面状にしたマイク用フイルター。
【請求項２】
マイク用フイルター（１）の材質を薄い繊維製又は通気性の良い紙にした、請求項１記載のマイク用フイルター。
【請求項３】
マイク用フイルター（１）に抗菌防止を施した請求項１又は２記載のマイク用フイルター。
(57)【要約】      （修正有）【課題】素材・構造を工夫することにより、一層保温性・機能性をより高めた、レッグカバーを提供する。【解決手段】レッグカバー裏地に断熱・保温・機能効果が高く、無臭・非アレルギー性のシンサレート素材を使用する。【選択図】図２
0003102147.tif 000002
【実用新案登録請求の範囲】
【請求項１】
レッグカバーの表地の素材は、比較的粗い普通のニット素材であるが、その裏地に断熱・保温効果が高く無臭・非アレルギー性のシンサレート素材を使用したより一層保温性・機能性があるレッグカバー
【考案の詳細な説明】
【技術分野】
【０００１】  本考案は、裏地にシンサレート素材を使用し、より保温性・機能性を強化したレッグカバーに関するものである。
【背景技術】
【０００２】  レッグカバーは、一般的には表裏地とも比較的粗いニット素材が使用されており、保温性・機能性に問題がある。
【考案の開示】
【考案が解決しようとする課題】
【０００３】  レッグカバーは、履きやすさと保温性が最大の目的である。素材・構造を工夫することにより、保温性・機能性を増し前述の欠点を解決しようとするもの。
【課題を解決するための手段】
【０００４】  本考案は、レッグカバーの裏地に断熱・保温効果が高く、無臭・非アレルギー性のシンサレート素材を使用し、より保温性・機能性のあるレッグカバーを実現し問題点を解決している。
【考案の効果】
【０００５】  断熱・保温・機能効果をより高めることにより、顧客の満足度がアップする。
【実施例】
【０００６】  以下、添付図面に従って実施例を説明する。レッグカバーの表地にはニット素材、裏地には断熱・保温効果が高く無臭・非アレルギー性のシンサレート素材を使う。
【図面の簡単な説明】
【０００７】
【図１】比較的に粗いニット素材を使用した表地の平面図である。
【図２】断熱・保温効果のあるシンサレート素材を使った裏地の平面図。
【符号の説明】
【０００８】１    爪先部
２    甲部
３    土踏まず部
４    踵部
【図１】
0003102147.tif 000003
【図２】
0003102147.tif 000004
【手続補正書】
【提出日】平成15年12月25日(2003.12.25)
【手続補正１】
【補正対象書類名】実用新案登録請求の範囲
【補正対象項目名】全文
【補正方法】変更
【補正の内容】
【実用新案登録請求の範囲】
【請求項１】
レッグカバーの表地の素材は、ニット素材であるが、その裏地に断熱・保温効果が高く無臭・非アレルギー性のシンサレート素材を使用した、より一層保温性・機能性があるレッグカバー
(57)【要約】      （修正有）【課題】道路上に停止する車両に不注意車が衝突し、その衝撃で停止車が進行方向前方へ逸走して作業員などに危害を発生させるのを防止する。【解決手段】鋼鉄製の頑丈な車止めを作り、そこには車止めを掛ける車輪タイヤ3をはさみ込むように接触させ同時にタイヤ表面をタイヤの曲率半径に合わせて殆ど密着させるように形成させ、車止めが逸走の際外れるのを防ぐ。その車止め底面部に尖った鋲5をとりつけ、衝撃を鋲に集めて追突された車両の暴走を防止する。【選択図】図１
0003102142.tif 000002
【実用新案登録請求の範囲】
【請求項１】
自動車の車輪タイヤをはさみ込み、同時にタイヤ踏面に接するように形成した車止め。
【請求項２】
請求項１記載の車止めに於いて車止めの裏面後部に尖った鋲を複数個設けた車止め。
【請求項３】
請求項２記載の車止めの鋲の位置を車の進行方向に対して直交させて並べ、前後の鋲が千鳥になるように配列した車止め。
【考案の詳細な説明】
【考案の詳細な説明】
【技術分野】
【０００１】  道路上に於いて車両を停止させた時、勾配のある路面の場合、サイドブレーキのかけ忘れで動き出すような事態にならないよう、また工事中などで停車していた場合など、前方不注意で追突されて位置を変えるような場合に使用する車止めに関するものである。
【背景技術】
【０００２】  前記のような事態が起きないよう、従来は勾配の下側の車輪タイヤに、また追突される危険性がある場合には前輪タイヤの接地面にほぼ三角形の木製の車止め、またはゴム製、または鋼鉄製の車止めが用いられた。これらはいずれも簡易な形態の製作物でその効果は期しがたいといえるものであった。
【考案が解決しようとする課題】
【０００３】  本考案はこれまでの簡易な車止めをさらに効果あるものとし、近年必要性が認められて来た追突による車両の進行方向への飛び出しを極力防止することを目指したものである。
【０００４】  この車止めの重要性は、道路上で事故が起こったり、維持工事の必要があったりする場合、普通車両から工事車両、事故車両が路面に停止し一定範囲を交通規制して作業員がその区間内で作業を行う場合が多い。この時、標識車や作業車が規制地域の手前先端に置かれるが、この車両に追突する事故が起こる。すると追突された車両が前に飛び出し、作業員をはねとばすという事態が起こるのである。この危険性を少しでも少なくするために考案がなされたのが本考案である。
【課題を解決するための手段】
【０００５】  上記課題を解決するため、本考案に於いては鋼鉄製の頑丈な箱型の車止めとし、その箱の２方向を開口させ、この開口部が車両やタイヤを抱き込み、タイヤの曲率半径に合わせた曲線面を有するものとし、これを進行方向前向きのタイヤ２本に各々車止めをかける。タイヤの接地点（面）まで開口部下側が車止めに入り込まされているので、タイヤは車止めから外れることなく、車止め下面（接地面）の後部に尖った鋲を複数個熔接打ちつけされているので、追突された車両のタイヤは前方へ回転しようとし、鋲に強い力が荷重され、路面を突きさすように引き掻きながらアスファルト路面に食い込むようにして停止する、というのが本案のねらいである。
【考案を実施するための最良の形態】
【０００６】  以下図面を参照し実施例を説明する。
図１は本考案車止めの側面断面図、図２はそれを斜め上から見た説明図である。
車止め本体は鋼鉄製で堅固な構造で、用途から考えて各部位に補強を要することは当然と言わねばならないが、図面では基本的な部位の役目を述べる。即ち本体１は左右側板６、６′と底板４と後板１′と上板２とタイヤ接触面２′から成り、後板１′に対する前板はタイヤ接触面２′として本体１の内部にへこまされて側板６、６′に熔接されている。【０００７】  こういう構造を持った車止めを側板６、６′でタイヤ３をはさみ込むようにしてタイヤ３の接地点９まで底板４を押し込み、タイヤ接触面２′にタイヤ３を乗せるように近づける。勿論タイヤの曲率半径や太さにより、一寸法の車止めでは済まない場合があることは言うまでもない。【０００８】  ここで折角車止めを掛けたにもかかわらず、上述のような不注意車が作業車に追突したりした場合、衝撃が強すぎて車止めを引きずるようにしてタイヤが止まらずに前方に空すべりしてしまうことが多い。接地摩擦係数の高いゴム製の車止めなどは衝突のエネルギーが大きすぎるため、乗り越えたりはねとばされたりする。そこで衝突のエネルギーを吸収して効果をあげるため、車止めに衝撃に抵抗する手段として底板の後方に尖った鋲を熔接し、車止めにタイヤが乗りかかった形で前方へ押し出されるので、力が鋲を踏んで路面に食い込ませようとする形になる。これによって路面を掻きけずるようになるが、被追突車両の逸走を防止することができるのである。鋲の高さは底板４の傾斜に応じて全部接地するように熔接する。【０００９】  この鋲は底板４の後部に２列以上ならべて設けるのがよいが、被追突車両の進行方向に対してそれぞれの鋲が路面に食い込むよう千鳥にし、直列しないようにする必要がある。
【考案の効果】
【００１０】  本考案は以上のように構成されているので以下のような効果を奏する。
【００１１】  タイヤのＲに沿った接触曲面をもち、タイヤをはさみ込むように形成されているので、車止めが外れて車止め効果がなくなることがない。
【００１２】  底部に荷重の増大に耐えるよう数個列に鋲を設けてあるので、逸走抑止効果が大きい。従って作業中の人員に危害を与えることが減少する。
【図面の簡単な説明】
【００１３】
【図１】本体側面断面図  （Ａ−Ａ′断面）
【図２】本体を斜め上から見た説明図
【図３】本考案の平面図である。
【図４】本考案の底面図である。
【符号の説明】
【００１４】１  本体
１′後板
２  上板
２′タイヤ接触面
３  タイヤ
４  底板
５  鋲
６  側板
６′側板
７  把手
８  把手穴
９  タイヤ接地点（面）
【図１】
0003102142.tif 000003
【図２】
0003102142.tif 000004
【図３】
0003102142.tif 000005
【図４】
0003102142.tif 000006
【手続補正書】
【提出日】平成15年12月22日(2003.12.22)
【手続補正１】
【補正対象書類名】実用新案登録請求の範囲
【補正対象項目名】全文
【補正方法】変更
【補正の内容】
【実用新案登録請求の範囲】
【請求項１】
自動車の車両タイヤをはさみ込むほぼタイヤ巾の開口部を持つ鋼製箱の内側に、タイヤ踏面が接するように曲面を持つ中板を設け更に該車止めの裏面後部に尖った鋲を複数個設けたことを特徴とする車止め。
(57)【要約】【課題】    本考案は、入浴時などの身体を洗う際に用いる複数個の円形のブラシを電動モーターに依ってそれぞれに回転させ、爽快感や清潔感をより一層向上せ、なおかつ握力の少ない高齢者や障害の有る方にも隅々まで容易に洗うことが出来る器具を主要目的とする。また、ブラシ装着部はワンタッチ脱着式のため肌の状態や好みに依ってブラシの硬、柔を選び取りつけられる。【解決手段】    本考案は、器具本体内に収納されたブラシ部と操作部とを有し、前記ブラシ部は複数個の回転ブラシとモータから成り、前記操作部は充電可能な電池、操作スイッチを有し、前記回転ブラシは前記モータにより互いに逆転するよう取り付けられることを特徴とする電動ブラシ。【選択図】    図３
0003102133.tif 000002
【実用新案登録請求の範囲】
【請求項１】
器具本体内に収納されたブラシ部と操作部とを有し、前記ブラシ部は複数個の回転ブラシとこのブラシを駆動するモータから成り、前記操作部は充電可能な電池および操作スイッチを有し、前記回転ブラシは前記モータにより互いに反対方向に回転するよう取り付けられていることを特徴とする電動ボディブラシ。
【請求項２】
前記操作部の操作スイッチにより、前記複数個の回転ブラシの一つを静止させ、他を駆動させることを特徴とする前記請求項１に記載の電動ボディブラシ。
【考案の詳細な説明】
【技術分野】
【０００１】  本考案は、簡単な操作で複数個の正・逆転回転ブラシの強弱、１個可動及び２個同時可動を自由に選択する事ができ且つ、顔、指及び体全体を洗浄する電動式浴用ボディブラシに関する。ブラシは硬、柔、など肌の状態や好みによってアタッチメントで取りつけられるものである。
【背景技術】
【０００２】  従来の人体用電動ボディブラシは、柄の先に電動ブラシが単に１つのみ装着されているものがある。（例えば、特許文献１参照。）この電動ブラシは上下左右に移動し且つ振動して人体を洗浄するものであるが、充分な洗浄力と爽快感が得られない。しかもブラシが大きいため顔や指の間等の細部を洗うのには適していなかった。【０００３】
【特許文献１】特開平１０−２１１１１４号公報
【考案の開示】
【考案が解決しようとする課題】
【０００４】（イ）従来の電動ブラシは、取りつけられるブラシが大きいため細部の洗浄が不可能だった。
（ロ）１個の大型ブラシの振動では充分な洗浄力と爽快感を得ることが出来なかった。
（ハ）使用する人の好みや肌の状態によって振動力の強，弱の切り替えが出来なかった。
【課題を解決するための手段】
【０００５】  上記欠点を解決するためには、本考案では、小型の回転ブラシを複数個設けそれぞれのモーターの駆動力を利用して充分な洗浄力を確保出来るようにした。マイクロコンピューターを利用し、モーターの正・逆転、ならびに強弱、１個可動または２個同時可動を簡単かつ自由に選択出来るようにした。
【考案の効果】
【０００６】  器具本体に小型の回転ブラシを複数個設けることにより、細部の洗浄を容易にできる。また、複数個のブラシそれぞれにモーターを設け、回転力を強めることで充分な洗浄力が確保できる。マイコンのスイッチにより、握力の弱い方でも簡単に強弱の選択、１個のみ可動または２個同時可動を選択できる。複数個のブラシの回転方向をそれぞれ反対方向に回転することに依ってスムーズに思い通りに洗うことができる。【０００７】  本考案は、従来のブラシに比べ、細部の洗浄を容易にし、一つだけのモーターによる洗いにくさにを円滑な動作でもって解決できる。しかも、スイッチの切り替えによって左右同様に操作できる。又片手の不自由な方にも自分自身で洗浄可能とした。
【考案を実施するための最良の形態】
【０００８】  好みのブラシを選択し本体に取りつけ、本体の電源スイッチを入れ好みの回転力を選択し、回転ブラシにボディーソープ又は固形石鹸をつけて肌に当てる。細部や顔に使用するときは回転ブラシを一つ可動に選択する事によって楽にボディケアができる。
【実施例】
【０００９】  以下、添付図面に従って実施例を説明する。１は防水効果が施されたプラスチックス素材のブラシ本体と操作スイッチの拡大図である。２はブラシ本体に好みの硬さのブラシを選択して取りつけたもの。３は操作スイッチを作動させることによりブラシをそれぞれ正・逆転に回転できる。ブラシにボディーソープ又は固形石鹸をつけて肌に当てる。ＳＷ２、ＳＷ３の切り替えスイッチを適宜好みによって選択使用し、ＳＷ５の選択によってブラシ１個可動もできる。また、左右どちらの手でも使用し易いように正、逆転切替スイッチＳＷ４を設けてある。
使用後は水分を充分にふき取り充電器に設置する。
【図面の簡単な説明】
【００１０】
【図１】本考案の電動ボディブラシの正面図。
【図２】本考案の電動ボディブラシの側面図
【図３】本考案の電動ボディブラシの断面図１
【図４】本考案の電動ボディブラシの断面図２
【符号の説明】
【００１１】１．    ブラシ本体
２．    第一の回転ブラシ
３．    第二の回転ブラシ
４．    ギアボックス１
５．    ギアボックス２
６．    第一のモーター
７．    第二のモーター
８．    操作スイッチ
ＳＷ１    電源スイッチ
ＳＷ２    速度切替スイッチ（強）
ＳＷ３    速度切替スイッチ（弱）
ＳＷ４    正・逆転切替スイッチ
ＳＷ５    ブラシ台数切替スイッチ
９．    操作回路基盤
１０．    充電用差込口
１１．    第一のバッテリー
１２．    第二のバッテリー
【図１】
0003102133.tif 000003
【図２】
0003102133.tif 000004
【図３】
0003102133.tif 000005
【図４】
0003102133.tif 000006
(57)【要約】      （修正有）【課題】掲示板にて紙の表示物が、屋外でも水に濡れにくく、安易に表示できるようにする。【解決手段】紙の表示物をカードケースに入れる事により、濡れにくく差替えも容易にできる。又、意匠的にも見栄えがする。【選択図】図１
0003102138.tif 000002
【実用新案登録請求の範囲】
【請求項１】
紙に印刷等した内容をカードケースに入れ、横ないし下より差し入れた掲示板
【請求項２】
道路標識等のポール、壁面、フェンスにつく多用途取付可能な掲示板
【考案の詳細な説明】
【０００１】
【考案が解決しようとする課題】
従来、屋外の掲示板は雨により印刷物等の紙が濡れ屋根又はおおがかりなケースを設けて水対策をしています。
【０００２】
【課題を解決するための手段】
上記の目的を達成するために、印刷物等の紙をカードケースに入れる事により水に濡れにくくした。
【０００３】
【考案の効果】
カードケース保護の下、水に濡れにくく差し替えも安易にでき、屋外はもちろん屋内掲示板としても使用できる。又、意匠的にも見栄えがする。
【図面の簡単な説明】
【図１】既成のカードケース▲６▼に印刷物等の紙を入れ本体掲示板に横から差し込む所の平面図である。又どうしても水が入る為水抜き▲１▼を設けてある。
【図２】本体掲示板の分解図である。
【図３】本体掲示板の断面図である。
【図４】本体掲示板の既成標識ポール金物に取付る側面図である。
【図５】本体掲示板の壁面に取付る側面図である。
【図６】本体掲示板のフェンスに取付る側面図である。
【図１】
0003102138.tif 000003
【図２】
0003102138.tif 000004
【図３】
0003102138.tif 000005
【図４】
0003102138.tif 000006
【図５】
0003102138.tif 000007
【図６】
0003102138.tif 000008
【手続補正書】
【提出日】平成15年4月16日(2003.4.16)
【手続補正３】
【補正対象書類名】明細書
【補正対象項目名】実用新案登録請求の範囲
【補正方法】変更
【補正の内容】
【実用新案登録請求の範囲】
【請求項１】
第１図に於いて市販のカードケース▲６▼に表示する印刷物等を入れ、本体掲示板に横より差し入れた掲示板
【請求項２】
駐車場等の掲示板として道路標識のポール、壁面、フェンスに付けられる多用途取付可能な掲示板
0003102138.tif 000009
【手続補正書】
【提出日】平成15年8月20日(2003.8.20)
【手続補正１】
【補正対象書類名】明細書
【補正対象項目名】実用新案登録請求の範囲
【補正方法】変更
【補正の内容】
【実用新案登録請求の範囲】
【請求項１】
市販のカードケースに表示する印刷物等を入れ、ケース状にした本体掲示板の横の差込口
より、カードケースを入れた薄い掲示板．
【請求項２】
請求項１により、形状が薄く出来る為、ポールブラケットを付ける事により、駐車場等の
掲示板、又は、本体掲示板に穴が開いている為、壁面・フェンスに付けられる、多様途取
付可能な掲示板
【手続補正２】
【補正対象書類名】図面
【補正対象項目名】図１
【補正方法】変更
【補正の内容】
【図１】
0003102138.tif 000010
【手続補正書】
【提出日】平成15年12月24日(2003.12.24)
【手続補正１】
【補正対象書類名】明細書
【補正対象項目名】実用新案登録請求の範囲
【補正方法】変更
【補正の内容】
【実用新案登録請求の範囲】
【請求項１】
カードケースに表示する印刷物等を入れ、ケース状にした本体掲示板の横の差込口より、カードケースを入れた薄い掲示板．
【請求項２】
請求項１により、形状が薄く出来る為、ポールブラケットが取り付けられ、本体掲示板に穴があけられたことを特徴とする請求項１に記載された掲示板により、駐車場等の掲示板又は、壁面・フェンスに付けられる、多用途取付可能な掲示板
(57)【要約】【目的】  本考案は、メガネ拭き用クロス（１）を２面合わせにしてメガネレンズを挟み込み、揉むように利用することで、汚れを除去し、尚且つルーペをメガネ拭き用クロスの間に挿入する事によりルーペ（８）としても利用する事ができる、コンパクトでアクセサリーとしても携帯に便利な、ルーペ付メガネレンズクリーナーを提供するものである。【構成】  メガネ拭き用クロス（１）に同様形状の被覆シート（２）を重ね合わせその中に指圧緩衝用のスポンジ（３）を挿入し、所定の形状に合わせて周囲を接合して、メガネ拭きプレート（４）を構成し、このメガネ拭きプレート（４）２枚を用いてメガネ拭き用クロス（１）面を対面させて配置し、その間にルーペ（８）を挿入し、対面させて配置したメガネ拭きプレート（４）と間に挿入したルーペ（８）の三点をハトメ金具（６）で固定結束した構成からなる、ルーペ付メガネレンズクリーナー。【選択図】図５
0003102135.tif 000002
【実用新案登録請求の範囲】
【請求項１】
メガネ拭き用クロス（１）に同様形状の被覆シート（２）を重ね合わせその中に指圧緩衝用のスポンジ（３）を挿入し、所定の形状に合わせて周囲を接合して、メガネ拭きプレート（４）を構成し、このメガネ拭きプレート（４）２枚を用いてメガネ拭き用クロス（１）面を対面させて配置し、その間にルーペ（８）を挿入し、対面させて配置したメガネ拭きプレート（４）と間に挿入したルーペ（８）の三点をハトメ金具（６）で固定結束した構成からなる、ルーペ付メガネレンズクリーナー。
【考案の詳細な説明】
【考案の詳細な説明】
【産業上の利用分野】
【０００１】  この考案は、メガネ拭き用クロス（１）の２面でメガネレンズを挟み込み、メガネの汚れを拭き取るメガネレンズクリナーとして利用されると共に、添付されたルーペ（８）を利用することにより、メガネを拭く機能にさらにルーペ機能を加えて利便性を増した製品に関するものである。
【背景技術】
【０００２】  従来は、布状のメガネレンズクリーナーとルーペは別々に所持し、利用の都度使い分けていた。
【考案が解決しようとする課題】
【０００３】  本考案は、メガネレンズクリーナーとルーペを一体品として、コンパクトで使い勝手がよく、さらにアクセサリーとしても携帯に便利なルーペ付メガネレンズクリーナーを提供するものである。
【課題を解決するための手段】
【０００４】  本考案は、クリーナー用合成繊維をコンパクトなパット形状に構成してできたメガネレンズクリーナーに、ルーペ（８）をハトメ金具を使い結束して同一の構成にし、さらにアクセサリーを兼ねた携帯に便利な製品になるよう手段を講じたものである。
【作用】
【０００５】  本考案は、前述の手段を講じたので、使用に際しては、メガネクリーナーとして利用する際には、ルーペ（８）を対面させたメガネ拭きプレートからハトメ部を中心に回転させてメガネ拭きプレート面からはずし、メガネレンズをメガネ拭きプレート（４）のメガネ拭き用クロス（１）面でメガネレンズを挟み込んで揉むように利用することで、メガネレンズの汚れを拭き取ることができ、ルーペとして使用するには、メガネ拭きプレート面からハトメ部を中心に回転させて位置させたルーペ部を利用することができる。
【実施例】
【０００６】  以下、本考案の実施例を図面に従って説明する。【０００７】  図１のようにメガネ拭き用クロス（１）の上にスポンジ（３）をのせ、さらにその上に被覆シート（２）を重ね置き、下面のメガネ拭き用クロス（１）と被覆シート（２）を形状に沿って周囲を高周波によるウエルダー加工を行い、表面が被覆シート（２）で裏面がメガネ拭き用クロス（１）から成る、図３のメガネ拭きプレート（４）が得られる。図２にウエルダー加工後の断面図を示す。【０００８】  前項で得られたメガネ拭きプレート（４）を図４のごとく２枚用いて面対象にメガネ拭き用クロス面を向かい合わせ、その間にメガネ拭きプレートに大きさを合わせたルーペ（８）を配置し、所定の位置にハトメ用の穴（５）を開けてハトメ金具（６）で結束固定して図５の当該請求項１のルーペ付メガネレンズクリーナー（９）を構成する。【０００９】  ルーペ（８）は、極力厚みの無いほうが携帯に適しているため、フレンネルレンズを用いる。【００１０】  図６にルーペをハトメ部を中心に回転させメガネ拭き用クロス面からずらした様子を示す。【００１１】  図７のようにハトメ金具（６）の中心の穴に、ボールチェーン（７）あるいはストラップヘッド、キーチェーン等を通し、携帯に便利なレンズ付メガネレンズクリーナー（９）を提供することもできる。【００１２】  メガネ拭きプレート（４）２枚をハトメ金具（６）で結束して、ハトメ金具の穴にボールチェーンを通すのではなく、図８のようにメガネ拭きプレート（４）２枚を穴のあいていない結束金具（１１）で結束し、アーチ状パーツ（１０）を同時に取り付け、そのアーチ部分にボールチェーン（７）あるいはストラップヘッド、キーチェーン等を通すこともできる。
【考案の効果】
【００１３】  前述したように、メガネレンズクリーナーとルーペの両方の機能を有し、尚且つ携帯に便利な製品として利用する事ができる。
【図面の簡単な説明】
【図１】メガネ拭きプレート（４）の加工前断面図
【図２】メガネ拭きプレート（４）の加工後断面図
【図３】メガネ拭きプレート（４）の斜視図
【図４】本考案構成の工程斜視図
【図５】本考案の斜視図
【図６】本考案のルーペ部の位置を回転させた斜視図
【図７】本考案のボールチェーン付き斜視図
【図８】本考案のアーチ状パーツ付き斜視図
【符号の説明】
１．  メガネ拭き用クロス
２．  被覆シート
３．  スポンジ
４．  メガネ拭きプレート
５．  ハトメ穴
６．  ハトメ金具
７．  ボールチェーン
８．  ルーペ
９．  ルーペ付メガネレンズクリーナー
１０．  アーチ状パーツ
１１．  結束金具
【図１】
0003102135.tif 000003
【図２】
0003102135.tif 000004
【図３】
0003102135.tif 000005
【図４】
0003102135.tif 000006
【図５】
0003102135.tif 000007
【図６】
0003102135.tif 000008
【図７】
0003102135.tif 000009
【図８】
0003102135.tif 000010
(57)【要約】【課題】    花粉症などの予防に最適なネットマスクを提供する。【解決手段】  マスクの主体がステンレス製金網を用いた鼻型形象体により形成されることを特徴とする。  前記鼻型形象体は、ＳＵＳ．３１６＝１５０ないし２５０メッシュを保持して形成されることを特徴とする。【選択図】      図１
0003102132.tif 000002
【実用新案登録請求の範囲】
【請求項１】
マスクの主体がステンレス製金網を用いた鼻型形象体により形成されることを特徴とするネットマスク。
【請求項２】
前記鼻型形象体は、ＳＵＳ．３１６＝１５０ないし２５０メッシュを保持して形成されることを特徴とする請求項１記載のネットマスク。
【考案の詳細な説明】
【技術分野】
【０００１】  本考案は、ネットマスクに関するものである。
【背景技術】
【０００２】  従来、風邪の予防や花粉の粒子等をシャットアウトするには、ガーゼのマスクが用いられる。
【考案の開示】
【考案が解決しようとする課題】
【０００３】  しかしながら、この種のガーゼマスクで鼻や口を塞いでも、ガーゼマスク自体、織目が粗過ぎるため、この織目を通して花粉、チリ、ハウスダスト等が体内に入ってしまい、このように、ガーゼマスクは、風邪の予防、花粉症の予防等には不向きである。【０００４】  また、最近は、ガーゼの内側に不織布と特殊フィルターを介在させたマスクが市販されているが、この種のマスクは、鼻のカーブに合わせ、しかも、曲げて使用しなければならないという使用上の難点があった。
【考案を解決するための手段】
【０００５】  本考案は、斯る、従来の問題点に鑑み創作されたネットマスクに係り、詳しくは、本考案は、マスクの主体がステンレス製金網を使用した鼻型形象体により形成されることを特徴とする（請求項１）。
【０００６】  前記の鼻型形象体は、ＳＵＳ．３１６＝１５０ないし２５０メッシュを保持するステンレス製金網により形成されることを特徴とする（請求項２）。
【考案の効果】
【０００７】  本考案は、上記のような解決手段で実施され、以下に記載されるような効果を奏する。
【０００８】  鼻に当たる部分が、ＳＵＳ．３１６＝１５０ないし２５０メッシュを保持するステンレス製金網の鼻型形象体により形成され、この鼻型形象体が、マスクの主体となって花粉、チリ、ハウスダスト等の微粒子をシャットアウトするため、風邪の予防、花粉症の予防等に最適である。
【０００９】  前記鼻型形象体それ自体、適度の通気性を有するため、使用時の息苦しさ等を解消することができると共に、前記昌頭記載の背景技術のように、特殊フィルター等を鼻のカーブに合わせ、しかも、鼻の形に曲げて使用するという面倒を解消することができる。
また、実際の使用に当っては、使い勝手良好にして、違和感が無く、しかも鼻型形象体を煮沸、洗浄することで、再使用ができる。
【考案を実施するための最良の形態】
【実施例】
【００１０】  本考案の実施形態を図１、図２に基き説明すると、図面符号１はマスクの主体を示す鼻型形象体であり、この鼻型形象体１は、ステンレス製金網２を用いて形成され、ステンレス製金網２は、ＳＵＳ．３１６＝１５０ないし２５０メッシュを保持して形成される。
なお、ステンレス製金網２は、ＳＵＳ．３１６＝２００メッシュを採用することが好ましい。
また、ＳＵＳ．３０４〜３１６＝１５０ないし２５０メッシュのものを採用してもよい。【００１１】  図２は、本考案の使用法を示した説明図であり、実際の使用に当っては、前記鼻型形象体１を鼻３のカーブ面に合わせたマスクのガーゼ面４にフィットさせ、そして、この鼻型形象体１の外側をマスクのガーゼ面５で覆うようにし、マスクの耳かけ６を両耳７に掛けるようにする。
【産業上の利用可能性】
【００１２】  本考案は、風邪の原因となるウイルス、花粉症の原因となる花粉等をシャットアウトするマスクとして活用できる。
【図面の簡単な説明】
【００１３】
【図１】本考案の構造説明図である。
【図２】本考案の使用状態説明図である。
【符号の説明】
【００１４】１    鼻型形象体
２    ステンレス製金網
４    マスクのガーゼ面
５    マスクのガーゼ面
【図１】
0003102132.tif 000003
【図２】
0003102132.tif 000004
(57)【要約】      （修正有）【課題】本考案は、噴霧機器から二酸化塩素水溶液等を噴霧することにより、殺菌、除菌、消臭効果を可能とさせる。【解決手段】本考案は、噴霧機器本体1に二酸化塩素水溶液等の入った容器を内蔵させ、コンプレッサーを通じ、大量の微細ミストを機器から透明なホース5で車内まで引き込み、５ミクロン以下のミスト粒子で噴霧することにより、瞬時の殺菌、除菌、消臭効果を可能とさせた。また、前述の動作を現金投入後、約３分で完了させることにより、お客様の満足を得る事が出来ると共に、設置先の量販店（ガソリンスタンド、カー用品店等）の収益向上としても役立つ。【選択図】図１
0003102131.tif 000002
【実用新案登録請求の範囲】
【請求項１】
噴霧機器本体に二酸化塩素水溶液等が入った容器を内蔵させ、機器本体から透明なホースを車内まで引き込み、大量の微細ミストを発生させ、瞬時に殺菌、除菌、消臭効果が得られるところを特徴とする、業務用殺菌、除菌、消臭対策噴霧機器。
【考案の詳細な説明】
【技術分野】
【０００１】  本考案は、車内の殺菌、除菌、消臭を瞬時に行うため、二酸化塩素水溶液を微細ミスト状に噴霧する装置に関するものである。
【背景技術】
【０００２】  現在、車内を除菌、消臭する技術として、アルコール系の液剤を噴霧する方法、オゾンを発生させる方法、触媒による接触反応をさせる方法、ニオイを付加させる方法であり、殺菌、除菌に関する瞬時の効果がなかった。
【考案の開示】
【考案が解決しようとする課題】
【０００３】  前述の通り、現在車内を殺菌、除菌、消臭する技術として、幾つかの方法が存在するが、何れも噴霧中、噴霧後の独特な臭いの残留、人体への悪影響の恐れ、養生などの時間的ロス、施工の実感の無さ等、問題点が多く残る。従って、噴霧機器から二酸化塩素水溶液等を噴霧することにより、瞬時に殺菌、除菌、消臭効果が可能となり、前述の問題点を解決しようとするものである。
【課題を解決するための手段】
【０００４】  本考案は、噴霧機器本体に二酸化塩素水溶液等が入った容器を内蔵させ、ユーザーが現金を投入することにより、３分間程度大量のドライミストを機器から透明なホースで車内まで引き込み、５ミクロン以下のミスト粒子で噴霧する。その結果瞬時に殺菌、消臭、除菌が終了することが可能となった。
【考案の効果】
【０００５】  ５ミクロン以下の霧状ミストのため、生地の内部及びエアコン内部など細部にまで行き届くことができるため、効果的な殺菌、除菌、消臭ができる。その結果、一般ユーザーの満足感を得ることは勿論、噴霧装置を設置した量販店（ガソリンスタンド、カー用品店等）の収益向上としても役立つ。
【考案を実施するための最良の形態】
【０００６】  噴霧装置本体を使用中に、本体上部に青色灯のディスプレーが点灯する。また、残り時間を表示し及び音声案内を内蔵することにより、一般ユーザーの遊び心や興味心をかきたてる。
【実施例】
【０００７】  噴霧機器本体の側面（図１−１）にコンプレッサー及び二酸化塩素水溶液等の容器が内臓（図２−２）されており、現金投入口（図１−３）から現金を投入し、スタートボタン（図１−４）を押すことにより、コンプレッサーが可動し、噴霧器本体（図１−１）から透明なホース（図１−５）で車内まで引き込み、５ミクロン以下のミスト粒子で生地の内部及びエアコン内部など細部にまで噴霧する。噴霧中はディスプレー（図１−６）が点灯し残時間表示（図１−７）により残り時間を表示する。またスピーカー（図１−８）により音声案内が発生する。
【図面の簡単な説明】
【０００８】
【図１】本考案の二酸化塩素水溶液等を使用した車内の業務用殺菌、除菌、消臭対策噴霧機器の一実施例を示す正面図である。
【図２】噴霧機器本体の側面図である。
【符号の説明】
【０００９】  １  噴霧機器本体
２  コンプレッサー及び二酸化塩素水溶液等の内蔵場所
３  現金投入口
４  スタートボタン
５  引き込みホース
６  ディスプレー
７  残時間表示
８  スピーカー
【図１】
0003102131.tif 000003
【図２】
0003102131.tif 000004
(57)【要約】【目的】  簡単な構成で安価に製造でき、九九を超えた掛け算を暗算で練習するのに適した掛け算表を提供する。【構成】  掛け算表は、少なくとも九九を超えた数字の掛け算の答えを列と行に配列して表示したシートと、該シートに表示された個々の答えに対して、答えを隠す位置と答えが見える位置を取るように設けられ、列又は行の数字に対して掛けられる数字を表面側に表示した個々の小片部材とを有することを特徴とする。【選択図】    図１
0003102185.tif 000002
【実用新案登録請求の範囲】
【請求項１】
少なくとも九九を超えた数字の掛け算の答えを列と行に配列して表示したシートと、該シートに表示された個々の答えに対して、答えを隠す位置と答えが見える位置を取るように設けられ、列又は行の数字に対して掛けられる数字を表面側に表示した個々の小片部材とを有することを特徴とする掛け算表。
【考案の詳細な説明】
【技術分野】
【０００１】
本考案は、掛け算表に関し、特に暗算に適した掛け算表に関する。
【背景技術】
【０００２】
九九の掛け算を暗算で記憶することは、将来日常生活に必要であるばかりでなく、脳の発達に起用する等の理由により小学生の低学年で教えられている。小学低学年でも操作が容易で楽しく学習できる九九算練習器が提案されている(特開平０８−２０２２５８号公報)。この九九算練習器では、円盤上の周囲に１０個のピンを立てピンの立設位置に１から８１の数字を付し、１つのピンに掛けた紐を掛け算の暗算にしたがって暗算した数字が付してあるピンに掛けていくものである。そして、正しい暗算ができていれば、美しい図形が得られるので、正しい暗算がなされたと判断するものである。
【特許文献１】特開平８−２０２２５８号公報
【考案の開示】
【考案が解決しようとする課題】
【０００３】
しかし、上記公報に記載の発明では、円盤、ピン、紐を必要とし、さらに組み立てを簡単に行うことができないものである。また、九九算に限られていてさらに大きな数字の掛け算を暗算するようにはなっていない。
【０００４】
したがって、本考案は、簡単な構成で安価に製造でき、九九を超えた掛け算を暗算で練習するのに適した掛け算表を提供することにある。
【課題を解決するための手段】
【０００５】
上記課題を解決するために、本考案の掛け算表は、少なくとも九九を超えた数字の掛け算の答えを列と行に配列して表示したシートと、該シートに表示された個々の答えに対して、答えを隠す位置と答えが見える位置を取るように設けられ、列又は行の数字に対して掛けられる数字を表面側に表示した個々の小片部材とを有することを特徴とするものである。
【考案の効果】
【０００６】
本考案は、簡単で安価な構成で九九を超えた掛け算を暗算するための練習に適したものである。また、九九を超えた掛け算は、例えば、英国の貨幣の一部で用いられているような１２進数で桁上りするものや、コンピュータで用いられる１６進数等の計算では便利である。さらにまた、本考案の掛け算表は小学生が一人で暗算を練習する場合に適しているばかり出なく、教師が小学生を教える際にも適したものである。
【考案を実施するための最良の形態】
【０００７】
本考案は、少なくとも九九を超えた数字の掛け算の答えを列と行に配列して表示したシートと、該シートに表示された個々の答えに対して、答えを隠す位置と答えが見える位置を取るように設けられ、列又は行の数字に対して掛けられる数字を表面側に表示した個々の小片部材とを有する掛け算表である。
【実施例】
【０００８】
図１は、本考案の掛け算表の全体を示す平面図であり、図２は、厚みを拡大して示した掛け算表の側面図であり、図３は、１つの小片部材を取り出して示した図である。
【０００９】
掛け算表１０は、一枚の大きなシート１２と、シートに対して列と行の方向に配列した複数の小片部材１４とからなり、小片部材１４は、例えば、接着剤の糊１６によってめくることが可能なようにシート１２に貼り付けられている。
【００１０】
シート１２の表面には、小片部材１４が貼られる左端に隣接した位置に列状に１〜１９までの数字が表されおり（図面上は、図示の簡略化のために、６から１５までの数字は省略してある）。シート１２上には、その列を基準として１行から１９行にわたって２〜１９までの数字を表面に表示した小片部材１４が前述のように貼り付けられている（図面上は、図面の簡略化のために、６から１４までの数字は省略してある）。シート１２の表面上で個々の小片部材で隠された位置には、シートの左端の列の数字（例えば、３）と、その３の数字の右側にある数字（例えば、４）を掛け算した値（１２）が表示されている。
【００１１】
この掛け算表を用いる際には、列上にある数字とその数字に対応する行上の小片部材に表示されている任意の数字の掛け算を暗算で答え、正解かどうかをその小片部材をめくりシート上の表示と合っていれば正解とするものである。
【００１２】
シートおよび小片部材の材質については、紙、プラスチック、薄い木片等の任意の材質でよいが、紙が安価で、加工しやすい等の点から好ましい。
【図面の簡単な説明】
【００１３】
【図１】図１は、本考案の掛け算表の全体を示す平面図である。
【図２】図２は、厚みを拡大して示した掛け算表の側面図である。
【図３】図３は、１つの小片部材を取り出して示した図である。
【符号の説明】
【００１４】
１０  掛け算表
１２  シート
１４  小片部材
１６  糊
【図１】
0003102185.tif 000003
【図２】
0003102185.tif 000004
【図３】
0003102185.tif 000005
(57)【要約】      （修正有）【課題】本考案は、従来のコーヒドリッパーの様に、ぺーパーフィルターを用いなくてよいコーヒードリッパーである。【解決手段】本考案は、カップ本体１の底数センチ部３に、布をはり、ぺーパーフィルターを使用することなく、そのままドリッパーにコーヒーの粉を入れ、お湯をそそぐことにより、布部分からコーヒーが下に落ちてくるしくみになっている。【選択図】図１
0003102183.tif 000002
【実用新案登録請求の範囲】
【請求項１】
ぺーパーフィルターを使わなくてよい、底に布を用いたコーヒードリッパー
【考案の詳細な説明】
【技術分野】
【０００１】本考案は、従来のコーヒードリッパーの底に布を用いたものである。
【背景技術】
【０００２】従来のコーヒードリッパーは紙製のフィルターを用いていた。
【考案の開示】
【考案が解決しようとする課題】
【０００３】ぺーパーフィルターを用いなくてはならないので、従来のコーヒドリッパーは経済的ではないし、資源のムダ使いである。
【課題を解決するための手段】
【０００４】本考案は、ポリプロピレンでできたコーヒードリッパーの底に、布をはる。
【考案の効果】
【０００５】上述の様に、ドリッパーの底の部分に、布をはることにより、ぺーパーフィルターを使用することなく、そのままコーヒーの粉をドリッパーに入れ、お湯をそそぐことにより、布の部分からだんだんとコーヒーが下に落ちるしくみになっている。
【考案の実施するための最良の形態】
【０００６】形は従来のコーヒドリッパーと同様に耐熱性のあるポリプロピレンでできたもち手つきのカップ状のものであるが、底の直径数センチの部分にだけ布をはる。白っぽい布だと使用しているうちに、茶色や黒っぽく変色してきて、不衛生に感じるので、もともと黒っぽい布で作ったほうが良い。そして、織り目の細かい布の方が良い。
【実施例】
【０００７】以下、添付図面に従って、一実施例を説明する。
１は耐熱性のあるポリプロピレンでできたカップ状の本体。
２はもち手。３は底にはった布である。
【図面の簡単な説明】
【０００８】
【図１】本考案の布使用のコーヒードリッパーのななめ上から見た図である。
【図２】本考案を真上から見た図である。
【符号の説明】
【０００９】１．カップ本体
２．もち手
３．布
【図１】
0003102183.tif 000003
【図２】
0003102183.tif 000004
(57)【要約】      （修正有）【課題】携帯にも便利で相当枚数のメガネ拭きが収録された、ポケットサイズの容器を提供する。【解決手段】手帳型の薄い皮又はビニールのケースとその中に入れる束ねられたレンズ拭き用紙の組み合わせであり、箱のハの箇所から外に開き用紙を取り出してレンズの汚れを除去しようとするものである。【選択図】図１
0003102181.tif 000002
【実用新案登録請求の範囲】
【請求項１】
メガネ拭用々紙をポケットサイズのノート型容器綴り込みに綴り込むための容器の型状
【考案の詳細な説明】
【考案の詳細な説明】
【産業上の利用分野】
【０００１】  本考案はメガネのレンズに曇りがある場合、それを専用の用紙を綴り込んだ手帳型ホルダーから簡便に取り出し、取り出した用紙を以ってメガネの曇りを取り除こうとするものである。
【背景技術】
【０００２】  従来この種のメガネ拭きにはメガネケースに付随した布片、ハンカチ、手拭、タオル、テッシュペーパー等思い思いにメガネレンズの曇りが拭かれていた。
【考案が解決しようとする課題】
【０００３】  一般にメガネを使用すると少なくとも一日一回はメガネのレンズの手入れをする必要に迫られる。これは気温、タバコの煙、食物の湯気、屋外の埃、雨、涙眼等の曇り、排気ガス等の付着が原因と考えられるが、右記の理由によって、レンズに付着した汚れを拭き取るための専用のメガネ拭きが身近にない場合、本考案による専用のメガネ（レンズ）拭きを以って筒便にその汚れを取り除き、容易に目的を達成しようとするものです。容器は皮又はビニール製が望ましい。
【図面の簡単な説明】
【図１】はメガネ拭き用紙を入れる容器のほぼ正面図であり、厚みを示すために、やや左側から見たものである。（イ）は紙を取り出す時、左側に開く見開きとなる部分である。（ロ）は容器の本体に固定され用紙を保持する部分である。
【図２】はホルダー（容器）が保持する紙片の大きさと形を示したものである。
【図３】の（二）は「図１」の（イ）の部分を左側に開き用紙の取り出しを容易にする。（ホ）は「図２」に示した用紙であり、用紙が不足した場合は補充できる仕組みである。（ヘ）は「図１」の（ロ）と同一であり本体に固定されている。
【図１】
0003102181.tif 000003
【図２】
0003102181.tif 000004
【図３】
0003102181.tif 000005